(57)【要約】【課題】  大光量で薄型のバックライト装置、このバックライト装置を用いた液晶表示装置、この液晶表示装置と他の表示部を備える記録再生装置を提供する。【解決手段】  ＬＥＤチップ１１を入射光供給用光源として導光体１２に入射し、導光体により平面的に照明するバックライト装置１０は、複数個のＬＥＤチップ１１が導光体１２の入射面１２ａに対向しており、導光体１２は入射面１２ａと照明面１２ｄとが平行状態に配置され、入射面１２ａから入射した光を照明面１２ｄに導光する反射面１２ｃが形成されている。記録再生装置Ｄは、バックライト装置１０により照明される液晶表示装置１５を備える表示部３Ｂと、表示部３Ａ，３Ｃを備えており、配線基板１３にはＬＥＤチップ１１と共に、表示部３Ａ，３Ｂを照明する２１，２２が固定されている。【選択図】  図３
2006107772.tif 000002
【特許請求の範囲】
【請求項１】
発光ダイオードを入射光供給用光源として導光体に入射し、該導光体により平面的に照明するバックライト装置であって、
前記発光ダイオードはチップ型の発光ダイオードであり、前記導光体の入射面に対向して複数個が配列されており、
前記導光体は、入射面と照明面とが平行状態に配置され、入射面から入射した光を照明面に導光する反射面が形成されていることを特徴とするバックライト装置。
【請求項２】
前記導光体は、照明面と反射面との間に該照明面より隆起した少なくとも一つ以上の傾斜面が形成されていることを特徴とする請求項１に記載のバックライト装置。
【請求項３】
前記導光体は、反射面および／または傾斜面に反射膜が形成されていることを特徴とする請求項１または２に記載のバックライト装置。
【請求項４】
前記導光体は、反射面および／または傾斜面の表面に反射シートが貼着されていることを特徴とする請求項１または２に記載のバックライト装置。
【請求項５】
前記チップ型の発光ダイオードは配線基板上に固定され、該配線基板と前記照明面とは平行状態に配置されていることを特徴とする請求項１〜４のいずれかに記載のバックライト装置。
【請求項６】
前記導光体の反射面は、角度の異なる複数の反射面からなることを特徴とする請求項１〜５のいずれかに記載のバックライト装置。
【請求項７】
前記チップ型の発光ダイオードは、複数色のチップが交互に配列されていることを特徴とする請求項１〜６のいずれかに記載のバックライト装置。
【請求項８】
請求項１〜７のいずれかに記載のバックライト装置を備え、該バックライト装置により液晶表示パネルを裏面側から照明する液晶表示装置であって、
前記液晶表示パネルは、前記導光体の照明面と平行に配置されることを特徴とする液晶表示装置。
【請求項９】
請求項２〜７のいずれかに記載のバックライト装置を備え、該バックライト装置により液晶表示パネルを裏面側から照明する液晶表示装置であって、
前記液晶表示パネルは、前記導光体の照明面と平行に配置され、
前記導光体の隆起した傾斜面は、前記液晶表示パネルの一側より外方向に形成されていることを特徴とする液晶表示装置。
【請求項１０】
請求項９に記載の液晶表示装置を、筐体の前面部に備える記録再生装置であり、
該装置は、筐体の前面部に表示部を備えており、前記バックライト装置の発光ダイオードを固定した基板に、前記表示部を照明する発光ダイオードを固定したことを特徴とする記録再生装置。
【発明の詳細な説明】
【技術分野】
【０００１】
本発明は、バックライト装置およびこの装置を使用した液晶表示装置に係り、特に、液晶表示装置を裏面から照明するエッジライト方式のバックライト装置と、このバックライト装置を使用した液晶表示装置および該液晶表示装置を備えるＤＶＤ（Ｄｉｇｉｔａｌ  Ｖｅｒｓａｔｉｌｅ  Ｄｉｓｋ）装置、ＶＴＲ（Ｖｉｄｅｏ  Ｔａｐｅ  Ｒｅｃｏｒｄｅｒ）等の記録再生装置に関する。
【背景技術】
【０００２】
従来の液晶表示パネルを裏面から照明するエッジライト方式のバックライトユニットは、所定の光入射面から入射した光を均斉化して液晶表示パネルに照射する導光板と、導光板の光入射面へ光を入射する光源であって所望の輝度分布に応じて導光板の光入射面の長手方向に沿って線状かつ不等間隔に配置される複数の光源と、複数の光源、及び光源を駆動するための電源供給端子を支持する線状光源用基板と、を具備している（例えば、特許文献１参照）。
【０００３】
【特許文献１】特開２００２−７５０３８号公報
【発明の開示】
【発明が解決しようとする課題】
【０００４】
ところで、前記構造のバックライトユニットは、導光板の端面と複数の光源とを対向させており、導光板に所定の厚さが必要であるためユニットの薄型化に限界がある。また、複数の光源であるＬＥＤを固定する配線基板は導光板の端面の幅程度の面積しか得られず、配線基板上に多数の素子を固定することができない。そして、多数の素子を固定するために配線基板の幅を増やすと、バックライト装置自体の厚さが大きくなって装置の小型化、薄型化が達成できない。
【０００５】
本発明は、このような事情に鑑みてなされたものであって、その目的とするところは、光源からの入射光を導光する導光体をさらに薄型にでき、大光量で見やすく薄型化を達成できるバックライト装置を提供することにある。また、このバックライト装置を使用し薄型に構成した液晶表示装置、さらにこの液晶表示装置を使用し薄型であると共に面積の大きい配線基板を使用して他の表示部で使用する光源用素子を同じ配線基板に固定できる記録再生装置を提供することにある。
【課題を解決するための手段】
【０００６】
前記目的を達成すべく、本発明に係るバックライト装置は、発光ダイオードを入射光供給用光源として導光体に入射し、該導光体により平面的に照明するエッジライト方式のバックライト装置であって、前記発光ダイオードはチップ型の発光ダイオードであり、前記導光体の入射面に対向して複数個が配列されており、前記導光体は、入射面と照明面とが平行状態に配置され、入射面から入射した光を照明面に導光する反射面が形成されていることを特徴としている。発光ダイオードチップは所定幅の照射範囲の指向性を有するものを使用している。
【０００７】
前記のごとく構成された本発明のバックライト装置は、入射面と照明面とが平行状態に配置され、しかも入射光供給用光源である発光ダイオードはチップ型で複数個が入射面に対向して配列されているため、薄型で大光量のバックライト装置を得ることができる。このように構成されたバックライト装置を液晶表示装置等に用いると、電気機器等の表示部を薄型とすることができ、大光量で認識しやすい表示部を得ることができる。
【０００８】
前記の導光体は、照明面と反射面との間に該照明面より隆起した少なくとも一つ以上の傾斜面が形成されていると好ましい。複数の傾斜面が形成される場合は、断面積が増えるように凸状に連続することが好ましい。このように導光体を形成すると、照明面までの光路を幅広に形成でき、反射面の幅も広くでき、集光エリアが広がるため照明面に到達する光量を増やすことができ、照明面での発光輝度を増やすことができる。
【０００９】
導光体の反射面および／または傾斜面に反射膜が形成されていることが好ましい。また、導光体の反射面および／または傾斜面の表面に反射シートが貼着されていると好ましい。このように構成すると、発光ダイオードから照射され入射面に入射する光を漏光あるいは透過することなく、効率良く反射して導光することができるため、照明面での発光輝度を増やすことができる。反射膜としては、光沢面を有するアルミニウムテープ等が好適である。
【００１０】
また、本発明に係るバックライト装置の好ましい具体的な態様としては、前記チップ型の発光ダイオードは配線基板上に固定され、該配線基板と前記照明面とは平行状態に配置されていることを特徴としている。この構成によれば、例えば液晶表示パネルを照明する導光体と平行状態に配線基板を配置するため、配線基板の面積を大きくすることができる。これにより、配線基板上にチップ型の発光ダイオードを固定できると共に多数の素子を固定でき、配線基板上に固定された多数の素子によって他の表示部の照明や、さらに他の機能を行わせることができる。
【００１１】
さらに、本発明に係るバックライト装置の好ましい具体的な他の態様としては、前記導光体の反射面は、角度の異なる複数の反射面からなることを特徴としている。光源の照射範囲に合わせて複数の反射面を形成すると好ましい。この構成によれば、反射面を光源の照射範囲すなわち指向性に合わせて複数の反射面としているため、光源から照射される光を導光体に沿って有効に照明面まで到達させることができ、明るい照明で認識しやすい表示が可能となる。また、チップ型の発光ダイオードは、複数色のチップが交互に配列されていることが好ましい。この構成によれば、色別の照明が可能となり、各種の機能を色で表現できて好ましい。
【００１２】
本発明に係る液晶表示装置は、前記のいずれかに記載のバックライト装置を備え、該バックライト装置により液晶表示パネルを裏面側から照明する液晶表示装置であって、前記液晶表示パネルは、前記導光体の照明面と平行に配置されることを特徴としている。このように構成された液晶表示装置は、導光体の入射面に対向して複数の発光ダイオードチップが固定されているため、大光量とすることができ表示内容を読み取りやすくすることができる。また、装置を薄型構成にできる。
【００１３】
本発明に係る記録再生装置は、前記の液晶表示装置を筐体の前面部に備え、この装置は筐体の前面部に表示部を備えており、バックライト装置の発光ダイオードを固定した基板に、表示部を照明する発光ダイオードを固定したことを特徴としている。このように構成された記録再生装置は、薄型で大光量のバックライト装置を用いて液晶表示装置を見やすく照明でき、チップ型の発光ダイオードを固定した基板に他の光源用の素子として発光ダイオードを固定して筐体前面部に備えた表示部を照明するため、簡単な構成で液晶表示装置と他の表示部を照明することができる。
【発明の効果】
【００１４】
本発明のバックライト装置は、大光量で薄型構成とすることができるとともに、発光ダイオードの駆動電流を低減しながら明るいバックライト装置を実現することができる。また、チップ型発光ダイオードを固定する基板上に他のチップ型発光ダイオードを固定して、例えば他の表示部の照明等を行うことができるため、部品点数を削減できる。このバックライト装置を液晶表示装置の照明に用いると、薄型で見やすい表示を行うことができる。そして、この液晶表示装置を記録再生装置等の電気機器に用いると、薄型で大光量の機能表示等を行うことができる。
【発明を実施するための最良の形態】
【００１５】
以下、本発明に係るバックライト装置を備える液晶表示装置を用いた記録再生装置の一実施形態を図面に基づき詳細に説明する。図１は、本実施形態に係るバックライト装置を用いた液晶表示装置を、筐体の前面に開閉可能に装着した蓋体に備える記録再生装置の斜視図、図２は図１の蓋体を開いた状態の斜視図、図３は液晶表示装置を備える蓋体の要部の水平方向断面図、図４は図３の液晶表示装置の分解斜視図、図５は導光体の正面図と側面図である。
【００１６】
図１，２において、本実施形態の記録再生装置Ｄは、筐体１内にＤＶＤ（Ｄｉｇｉｔａｌ  Ｖｅｒｓａｔｉｌｅ  Ｄｉｓｋ）装置、ＢＤ（Ｂｌｕｅ−ｒａｙ  Ｄｉｓｋ）装置、およびＨＤ（Ｈａｒｄ  Ｄｉｓｋ）装置の３つの装置と、カードリーダーが内蔵されており、この筐体の前面部には蓋体２が開閉可能に支持されている。蓋体２は前面側に動作状態を示す表示部として、ＤＶＤ装置の表示部３Ａ、ＨＤ装置の表示部３Ｂ、ＢＤ装置の表示部３Ｃを備えるとともに、裏面側に各種の操作スイッチ４Ａ、４Ｂ、４Ｃ等を備えている。蓋体２を開けた筐体１の前面には各種の表示部５Ａ、５Ｂ、５Ｃ、コネクタ部等が配置され、ＤＶＤディスクの挿入口６やＢＤディスクの挿入口７、カードの挿入口８が設けられている。
【００１７】
筐体１は左右の端部が前方に突出した受部１ａ、１ｂとなっており、蓋体２は左右の受部の間に挟まれた状態で支持され、受部１ａ、１ｂの前面と蓋体２の前面が同じ高さで平坦となっている。蓋体２は右側の受部１ｂ内のロック機構（図示せず）で保持されており、ロック９が解除されると自重で回転し、左側の受部１ａ内の開閉機構（図示せず）でダンパー機構により開閉速度が制御されて水平状態まで開く構成となっている。ロック機構は適宜の機構が用いられ、手動で押しボタンを押して解除するもの、リモコン等で操作してモータを回転させて開蓋するもの等、適宜の機構を用いることができる。受部１ａ内に電源スイッチ１Ａが設置され、受部１ｂ内に蓋体２の開閉スイッチ１Ｂが設置されている。なお、開閉スイッチの代わりに押しボタンで蓋体２を開けるようにしてもよい。
【００１８】
左右の表示部３Ａ，３Ｃはリング状部分の照明色を変えることでＤＶＤ装置とＢＤ装置の動作状態を表示し、例えば赤色あるいはオレンジ色のときは録画状態を示しており、青色あるいは緑色のときは再生状態を示しており、白色のときは操作可能状態を示すものである。また、中央の表示部３Ｂは円形部分の照明色を変えて動作状態を表示することができると共に、円形部分に液晶表示装置を備えており、各種の機能を表示することができる。例えば、チューナー受信時にはチャンネル数を表示することができ、ダビング状態表示、リモコン番号表示、ポーズ時、操作ロック時等の種々の表示を行うことができる。
【００１９】
本実施形態のバックライト装置１０は、中央の表示部３Ｂに設置されている。ここで、図３〜５を参照して、バックライト装置１０を備える液晶表示装置１５について詳細に説明する。バックライト装置１０は入射光供給用光源として複数のチップ型の発光ダイオード（ＬＥＤチップ）１１と、ＬＥＤチップから照射された光を入射する導光体１２とを備えており、導光体を用いて平面的に照明するエッジライト型のバックライト装置である。導光体１２はＬＥＤチップ１１と対向する入射面１２ａと、入射面から入射された光を水平方向に向きを変える反射面１２ｂと、先細りに傾斜して形成された拡散面１２ｃと、この拡散面の上方の平坦な照明面１２ｄとを有している。
【００２０】
導光体１２は透明アクリル等の樹脂から形成され、入射された光を導光する機能を有しており、入射面１２ａは平滑面で形成され入射時のロスが少ないように形成されている。反射面１２ｂは平滑面で形成され、鏡面仕上げされている。鏡面仕上げは、アルミニウム等の金属薄膜を蒸着して形成することができ、またアルミニウムテープを貼着して形成してもよい。反射面１２ｂで反射された光は、拡散面１２ｃと照明面１２ｄとの間を全反射して進む。すなわち、臨界角より小さい角度で全反射され、外部への漏光はない。拡散面１２ｃは反射面１２ｂで反射された光を拡散するように、例えば円形の梨地処理１２ｅが施されている。照明面１２ｄは平滑面、あるいは所定の形状の散乱処理が施されている。このように形成された導光体１２は、入射面１２ａと照明面１２ｄとが平行に形成されており、反射面１２ｂは約４５の角度で形成されている。
【００２１】
ＬＥＤチップ１１は配線基板１３上に固定されており、３個の赤色のＬＥＤチップ１１ａ、２個の青色のＬＥＤチップ１１ｂ、２個の白色のＬＥＤチップ１１ｃが固定されている。合計７個のＬＥＤチップ１１は導光体１２の入射面１２ａと近接して対向している。配線基板１３には導光体１２の受部材１４が固定されている。この受部材は導光体１２の外周を囲む縁部と、その内部の傾斜面とを有しており、樹脂で形成され液晶表示装置１５を構成する液晶表示パネル１６の端子を受けるコネクタ部１４ａ，１４ｂを備えている。そして、少なくとも傾斜面１４ｃは白色面となっている。
【００２２】
導光体１２は受部材１４で支持された状態で、照明面１２ｄおよび入射面１２ａが配線基板１３と平行になるように設定されている。したがって、ＬＥＤチップ１１から出射された光は入射面１２ａから導光体１２内に入り、反射面１２ｂで反射されて導光体の面方向に沿って導光され、拡散面１２ｃで拡散して照明面１２ｄより前方に出射する構成となっている。
【００２３】
ここで、導光体の変形例について説明する。図５ｃに示す導光体３０は、入射面３０ａ、反射面３０ｂ、拡散面３０ｃ、照明面３０ｄを備えている。そして、平坦な照明面３０ｄと反射面３０ｂとの間に照明面より隆起した傾斜面３０ｅが形成されている。傾斜面３０ｅは液晶表示パネル１６の端部からパネル側に隆起しており、下方の拡散面３０ｃとの厚さが反射面３０ｂ側に徐々に大きくなるように構成されており、反射面と共に山形に形成されている。このため、前記の導光体１２と比較すると反射面３０ｂの幅が２倍程度に広く形成され、入射面１２ａから入射した光を効率良く照明面側に反射することができ、照明面３０ｄの発光輝度を増加させることができる。また、隆起している傾斜面３０ｅと反射面３０ｂとは液晶表示パネル１６の一側より外方向に形成されており、液晶表示パネルの外側の空間に突出するため、バックライト装置は厚さを増やすことなく薄型に構成できる。
【００２４】
また、図５ｄに示す導光体３１は、図５ｃに示す導光体３０の反射面と傾斜面に反射膜をとして、表面が光沢面のアルミニウムテープ３１ａ，３１ｂを貼着して反射膜を形成している。このように構成すると、入射面３０ａから入射した光は反射面３０ｂで透過あるいは漏光することなく確実に反射され、照明面側に到達する光量を増やすことができるため、照明面での発光輝度を増加させることができる。なお、反射膜は反射面３０ｂと傾斜面３０ｅのどちらか一方に形成しても照明面までの到達光量を増やすことができる。また、反射膜としては、例えばアルミニウム等の金属を蒸着やスパッタリングで形成すると反射率が向上して、より好ましい。
【００２５】
液晶表示装置１５は、前記の構成のバックライト装置１０で透過型の液晶表示パネル１６を照明する構成である。液晶表示パネル１６は端子部が受部材１４のコネクタ部１４ａ，１４ｂに挿入されて保持される。液晶表示パネル１６は保持されたときは配線基板１３と平行状態となる。バックライト装置１０の照明面１２ｄの前方に液晶表示パネル１６を配置して、液晶表示パネル１６の表示を後方から照明し、蓋体２の中央の表示部３Ｂで表示する構成である。配線基板１３には、図示していないがＬＥＤチップに電源を供給するための配線パターンおよび液晶表示パネル１６に電源や信号を供給する配線パターンが形成されている。そして、配線基板１３に電源や信号を供給するコネクタ１７が固定されている。
【００２６】
中央の表示部３Ｂは、前記のようにバックライト装置１０の前方に液晶表示パネル１６を備える液晶表示装置１５が配置されており、前記の白、青、赤の色によるＨＤ装置の動作状態を示す機能を有しており、白色による操作可能状態、青色による再生時、赤色による録画時の機能表示の他にダビング中には例えば「ＣＯＰＹ」や再生時には「ＰＬＡＹ」等を表示することができ、チューナーを作動中にはチャンネル数を表示する等、各種の表示を行うものである。
【００２７】
前記の配線基板１３は蓋体２の内部に固定されるものであり、３つの表示部３Ａ，３Ｂ，３Ｃの裏面側に配置され、これらの表示部を包含する大きさを有している。配線基板１３は両側の２つの表示部３Ａ，３Ｃに対して、ＬＥＤチップ２１，２２が固定されている。本実施形態では、左右の表示部３Ａ，３Ｃに対して、それぞれ白色のＬＥＤチップ２１ａ，２２ａ、赤色のＬＥＤチップ２１ｂ，２２ｂ、青色のＬＥＤチップ２１ｃ，２２ｃが２つずつ固定され、ＤＶＤ装置とＢＤ装置の動作表示装置を構成している。そして、中央の表示部３Ｂでは、前面側に液晶表示装置１５が、後方にバックライト装置１０が積層されて装着されている。
【００２８】
動作表示装置を構成する左右の表示部３Ａ，３ＣのＬＥＤチップ２１，２２は、バックライト装置１０のＬＥＤチップ１１を固定する配線基板１３上に同様に固定されており、１つの配線基板１３上にバックライト装置１０に使用されるＬＥＤチップ１１と、他の表示装置３Ａ，３Ｃで使用されるＬＥＤチップ２１，２２とを固定している。したがって、配線基板１３に固定されたコネクタ１７から電源を供給することで、表示部３Ｂのバックライト装置１０用のＬＥＤチップ１１、表示部３Ａ用のＬＥＤチップ２１、表示部３Ｃ用のＬＥＤチップ２２を点灯させることができると共に、液晶表示パネル１６に駆動信号を供給できる構成となっている。
【００２９】
前記の如く構成された本実施形態のバックライト装置１０を用いた液晶表示装置１５を備える記録再生装置Ｄの動作について以下に説明する。記録再生装置Ｄの電源スイッチ１ＡをＯＮし、図示していないワイヤレスリモコンや、蓋体２の内部の操作スイッチ４Ａ、４Ｂ、４Ｃ等を操作することで内蔵されているＤＶＤ装置、ＨＤ装置、ＢＤ装置を作動させることができる。各装置を作動状態にすると、表示部３Ａ，３Ｂ，３Ｃは操作可能状態となって、白色のＬＥＤチップが点灯する。また、各表示部は再生時には青点灯し、録画時には赤点灯する。
【００３０】
本実施形態の記録再生装置Ｄは、前記のようにＤＶＤ装置、ＨＤ装置、ＢＤ装置の３つの装置と、カードリーダーが筐体１内に内蔵されており、３つの装置のいずれかの装置から出力した映像信号等をモニター（図示せず）に入力して再生することができると共に、ＤＶＤ装置あるいはＢＤ装置からＨＤ装置に録画させるダビング機能等を備えている。また、内蔵しているチューナーからの出力でモニターに表示させること等、多数の機能を有している。
【００３１】
多数の機能のうちの一部の機能を表示部３Ａ，３Ｂ，３Ｃで表示した例を図６に基づいて説明する。例えば、ＨＤ装置が操作可能状態のときは、図６ａに示すように表示部３Ｂの白色のＬＥＤチップ１１ｃが白点灯する。なお、このとき表示部３Ｂには、液晶表示装置１５により「ＢＳ  １０３ＣＨ」が表示されている。ＤＶＤ装置が操作可能状態のときには、図６ｂに示すように表示部３Ａの白色のＬＥＤチップ２１ａが白点灯して表示する。
【００３２】
また、ＢＤ装置が操作可能状態のときには、図６ｃに示すように表示部３Ｃの白色のＬＥＤチップ２２ａが点灯して表示する。ＨＤ装置が録画状態のときには、図６ｄに示すように表示部３Ｂの赤色のＬＥＤチップ１１ａが点灯して録画時であることを表示する。このとき、確認のために表示部３Ａの左の録画中ＬＥＤが赤点灯する。さらに、ＨＤ装置が再生時には、図６ｅに示すように表示部３Ａ、表示部３Ｂが消灯し、表示部３ＢのＬＥＤチップ１１ｂが青点灯すると共に、「ＰＬＡＹ」をスクロール表示して「ＰＬＡ」が表示されるというように、複数の機能を表示することができる。
【００３３】
本実施形態のバックライト装置１０は、ＬＥＤチップ１１を複数個配列して大光量を得ることができるため、前記のように表示部３Ｂの表示を明るく鮮明に表示することができる。導光体１２の入射面１２ａと照明面１２ｄとを平行とし、入射面１２ａにＬＥＤチップ１１を対向させたことにより装置構成を薄型にすることができる。また、ＬＥＤチップ１１を固定し電源を供給する配線基板１３を導光体１２の照明面１２ｄと平行状態には位置しているため、基板を含めたバックライト装置１０の薄型化を達成することができる。バックライト装置１０の光源としてのＬＥＤチップ１１は、複数色のチップを交互に配列することで色の異なる照明が可能となり、各種の機能や状態を容易に確認することができる。
【００３４】
液晶表示パネル１６は導光体１２の照明面１２ｄの前方に配置されており、拡散面１２ｃで拡散された光が液晶表示パネル１６を透過して表示されたパターンや数字等を照明する構成である。そして、複数のＬＥＤチップ１１を備える大光量のバックライト装置１０で照明され、パターンや数字等は表示部３Ｂを通して鮮明に表示され、ユーザーは表示内容を明確に確認することができる。
【００３５】
本実施形態のバックライト装置１０を用いた液晶表示装置１５は、複数のＬＥＤチップ１１により導光体１２の照明面１２ｄと対向して配置した液晶表示パネル１６を照明するため、大光量で薄型化を達成することができる。また、バックライト装置１０の光源であるＬＥＤチップ１１を固定している配線基板１３に、他の表示部３Ａ，３Ｃの機能状態を表示する光源としてＬＥＤチップ２１，２２を固定しているため、１つの配線基板１３に３つの表示部３Ａ，３Ｂ，３Ｃを照明するＬＥＤチップ１１，２１，２２が固定できて構成を簡単にすることができる。
【００３６】
本発明の他の実施形態を図７に基づき詳細に説明する。図７は本実施形態に係るバックライト装置を用いた液晶表示装置の他の実施形態の要部断面図である。なお、この実施形態は前記した実施形態に対し、ＬＥＤチップの照射範囲特性すなわち指向性に合わせて、照射される光の向きを変える反射部が角度の異なる複数の反射面を有していることを特徴とする。そして、他の実質的に同等の構成については同じ符号を付して詳細な説明は省略する。
【００３７】
前記の実施形態で使用したＬＥＤチップ１１は、照射範囲の狭い光源であるが、この実施形態で使用するＬＥＤチップ１１Ａは、照射範囲の広い光源であるため、広い照射範囲に合わせて反射面を変更している。すなわち、この実施形態の導光体１２Ａは反射面を幅広の屈曲した角度の異なる反射面１２ｆ，１２ｇとすることで、ＬＥＤチップ１１Ａから照射された光を照明面１２ｄの方向に確実に反射するように構成されている。この実施形態の導光体１２Ａにも、アルミニウムテープを貼着するなどして、反射面１２ｆ，１２ｇに反射膜を形成してもよい。
【００３８】
このように構成された導光体１２Ａは、ＬＥＤチップ１１Ａの照射範囲、すなわち指向性に合わせて複数の反射面１２ｆ，１２ｇを有する広い幅に形成されているため、照射された光を矢印Ｙ１，Ｙ２に示すように最大限に有効利用して照明部１２ｄに到達させることができる。この結果、液晶表示パネル１６を備える表示部３ＢをＬＥＤの低消費電力化を図りながら効率良く照明することができ、記録再生装置Ｄの動作状態を見やすく照明することができる。この実施形態のＬＥＤチップも、前記の実施形態と同様に複数色のＬＥＤチップを固定し、機能ごとに色分けすることが好ましい。
【００３９】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、チップ型の発光ダイオードとして単色のＬＥＤチップの例を示したが、１つのチップ内に複数の色の発光部を備えるＬＥＤチップを使用してもよい。また、導光体を支持する受部材の傾斜面は白色とした例を示したが、鏡面等の反射面で構成してもよい。
【産業上の利用可能性】
【００４０】
本発明の活用例として、この実施形態のバックライト装置を用いて携帯電話機やデジタルカメラ等の表示部の照明を行うことができ、液晶表示部を備える各種の電気機器の内部照明の用途にも適用できる。
【図面の簡単な説明】
【００４１】
【図１】本発明に係るバックライト装置を用いた液晶表示装置を備える記録再生装置の一実施形態の斜視図。
【図２】図１の蓋体を開いた状態の斜視図。
【図３】液晶表示装置を備える蓋体の要部の水平方向断面図。
【図４】図３の液晶表示装置の分解斜視図。
【図５】（ａ）は導光体の正面図、（ｂ）は側面図、（ｃ）は導光体の変形例の断面図、（ｄ）は他の変形例の断面図。
【図６】表示部の機能の一部を説明する動作状態説明図。
【図７】バックライト装置の他の実施形態を用いた液晶表示装置の要部断面図。
【符号の説明】
【００４２】
１：筐体、２：蓋体、３Ａ，３Ｂ，３Ｃ：表示部、１０：バックライト装置、１１：ＬＥＤチップ（表示部３Ｂを照明するチップ型の発光ダイオード）、１２：導光体、１２ａ：入射面、１２ｂ：反射面、１２ｃ：拡散面、１２ｄ：照明面、１３：配線基板（基板）、１４：受部材、１５：液晶表示装置、１６：液晶表示パネル、２１，２２：ＬＥＤチップ（表示部３Ａ，３Ｃを照明するチップ型の発光ダイオード）、１１Ａ：ＬＥＤチップ、１２Ａ：導光体、１２ｆ，１２ｇ：反射面、３０，３１：導光体、３０ｅ：傾斜面、３１ａ，３１ｂ：アルミニウムテープ（反射膜）
【図１】
2006107772.tif 000003
【図２】
2006107772.tif 000004
【図３】
2006107772.tif 000005
【図４】
2006107772.tif 000006
【図５】
2006107772.tif 000007
【図６】
2006107772.tif 000008
【図７】
2006107772.tif 000009